(57)【要約】【課題】適合しないアダプターの接続や、アダプターの誤接続によるコネクターの損傷を防止することが可能なアダプター取付装置、撮像装置及びアダプターを提供すること。【解決手段】着脱可能なアダプター１５０が取り付けられるアダプター取付面１０２に、アダプター取付面より内側に凹状に形成された凹状部１０５と、凹状部にアダプターが挿入されたとき、アダプターに形成された被係合部１５６、２５６、３５６、５５６と係合する係合部１０７、２０７、３０７、４０７、５０７と、凹状部にアダプターが挿入され係合部が被係合部と係合したとき、アダプターに設けられたアダプターコネクター１５４と接続されるコネクター１０６とを備えることを特徴とする。【選択図】図３
2009152681.tif 000002
【特許請求の範囲】
【請求項１】
着脱可能なアダプターが取り付けられるアダプター取付面に、前記アダプター取付面より内側に凹状に形成された凹状部と、
前記凹状部に前記アダプターが挿入されたとき、前記アダプターに形成された被係合部と係合する係合部と、
前記凹状部に前記アダプターが挿入され前記係合部が前記被係合部と係合したとき、前記アダプターに設けられたアダプターコネクターと接続されるコネクターと、
を備えることを特徴とする、アダプター接続装置。
【請求項２】
前記被係合部は、前記アダプターに切り欠かれて形成された切欠き部又は前記アダプターに形成された係合穴であり、
前記係合部は、前記切欠き部又は前記係合穴と係合する前記凹状部に突出して形成された突出部であることを特徴とする、請求項１に記載のアダプター接続装置。
【請求項３】
前記アダプターを前記凹状部に挿入する際のアダプター挿入側の前記突出部の端面が、前記アダプター挿入側の前記コネクターの端面よりも前記アダプター挿入側に位置することを特徴とする、請求項２に記載のアダプター接続装置。
【請求項４】
前記係合部は、前記凹状部に切り欠かれて形成された切欠き部又は前記凹状部に形成された係合穴であり、
前記被係合部は、前記切欠き部又は前記係合穴と係合する前記アダプターに形成された突出部であることを特徴とする、請求項１に記載のアダプター接続装置。
【請求項５】
前記アダプターを前記凹状部に挿入する際の凹状部挿入側の前記突出部の端面が、前記凹状部挿入側の前記アダプターコネクターの端面よりも前記凹状部挿入側に位置することを特徴とする、請求項４に記載のアダプター接続装置。
【請求項６】
前記アダプター取付面に前記アダプター取付面より外側に突出して形成され、前記アダプターに設けられたアダプター電源端子と接続可能な電源端子を備え、
前記係合部が前記被係合部と係合すると同時に、前記アダプター電源端子と前記電源端子とが接続することを特徴とする、請求項１に記載のアダプター接続装置。
【請求項７】
着脱可能なアダプターが取り付けられるアダプター取付面に、前記アダプター取付面より内側に凹状に形成された凹状部と、
前記凹状部に前記アダプターが挿入されたとき、前記アダプターに形成された被係合部と係合する係合部と、
前記凹状部に前記アダプターが挿入され前記係合部が前記被係合部と係合したとき、前記アダプターに設けられたアダプターコネクターと接続されるコネクターと、
を備えることを特徴とする、撮像装置。
【請求項８】
アダプター取付装置に対して着脱可能に取り付けられる装置取付面に、前記装置取付面より外側に凸状に形成された凸状部と、
前記凸状部が前記アダプター取付装置に挿入されたとき、前記アダプター取付装置に形成された係合部と係合する被係合部と、
前記凸状部が前記アダプター取付装置に挿入され前記被係合部が前記係合部と係合したとき、前記アダプター取付装置に設けられたコネクターと接続されるアダプターコネクターと、
を備えることを特徴とする、アダプター。
【発明の詳細な説明】
【技術分野】
【０００１】
本発明は、アダプター取付装置、撮像装置及びアダプターに関する。
【背景技術】
【０００２】
撮像装置には、レンズを通して捉えた被写体像を電気信号に変換して画像処理し、外部に映像データ信号を出力するビデオカメラや、記録装置がビデオカメラと一体化したカムコーダなどがある。記録装置は、ビデオカメラが出力した映像データ信号を記録媒体に記録する。そして、ビデオカメラやカムコーダ等（以下、総称してビデオカメラという。）には電源供給のためのバッテリーが取り付けられるが、バッテリーは、例えばレンズとは反対に位置するビデオカメラの背面部分に着脱可能に装着される。また、ビデオカメラには、カメラ本体部には含まれない機能を追加するため、アダプター（カメラ付属品）が取り付けられる場合があり、アダプターはバッテリーと同様にビデオカメラの背面部分に着脱可能に装着される。そのため、ビデオカメラの背面部分には、電源用端子や信号用端子、バッテリーやアダプターとの接続部などが設けられている。
【０００３】
例えば、特許文献１には、バッテリーやアダプターを着脱可能に結合させるカメラ本体部の取付機構に関する技術が開示されており、特許文献２には、カメラ本体部と着脱可能な構成を有するカメラ付属品に関する技術が開示されている。
【０００４】
【特許文献１】特開平７−１４３３７１号公報（特許第３３９９０５５号明細書）
【特許文献２】特開平７−１４３３７２号公報（特許第３５０８１８８号明細書）
【発明の開示】
【発明が解決しようとする課題】
【０００５】
ところで、ビデオカメラのカメラ本体部に取り付けられるバッテリーやアダプター（以下、総称してアダプターという。）は、カメラ本体部の仕様に対応して構成されているのが一般的である。そして、ビデオカメラの仕様に適合するアダプターがカメラ本体部に取り付けられることによって、アダプターが正しく動作する。
【０００６】
しかし、あるビデオカメラのカメラ本体部に、他のカメラ本体部の仕様にのみ適合するアダプターが取り付けられるとビデオカメラの誤作動や故障の原因となるおそれがある。また、カメラ本体部のアダプター用取付機構や、電源用端子、接続端子などの形状が異なるため、適合しないアダプターをカメラ本体部に無理に取り付けようとすると、取付機構や各種端子を破損するおそれがあった。
【０００７】
そこで、本発明は、上記問題に鑑みてなされたものであり、本発明の目的とするところは、適合しないアダプターの接続や、アダプターの誤接続によるコネクターの損傷を防止することが可能な、新規かつ改良されたアダプター取付装置、撮像装置及びアダプターを提供することにある。
【課題を解決するための手段】
【０００８】
上記課題を解決するために、本発明のある観点によれば、着脱可能なアダプターが取り付けられるアダプター取付面に、アダプター取付面より内側に凹状に形成された凹状部と、凹状部にアダプターが挿入されたとき、アダプターに形成された被係合部と係合する係合部と、凹状部にアダプターが挿入され係合部が被係合部と係合したとき、アダプターに設けられたアダプターコネクターと接続されるコネクターとを備えることを特徴とするアダプター接続装置が提供される。
【０００９】
かかる構成により、凹状部は、着脱可能なアダプターが取り付けられるアダプター取付面に、アダプター取付面より内側に凹状に形成され、係合部は、凹状部にアダプターが挿入されたとき、アダプターに形成された被係合部と係合し、コネクターは、凹状部にアダプターが挿入され係合部が被係合部と係合したとき、アダプターに設けられたアダプターコネクターと接続される。その結果、アダプターに被係合部が形成されていないアダプターを凹状部に挿入する場合、係合部が被係合部と係合しないため、アダプターコネクターとコネクターとが接続しない。
【００１０】
上記被係合部は、アダプターに切り欠かれて形成された切欠き部又はアダプターに形成された係合穴であり、係合部は、切欠き部又は係合穴と係合する凹状部に突出して形成された突出部であってもよい。かかる構成により、アダプターに形成された切欠き部又は係合穴が凹状部に形成された突出部と係合される。
【００１１】
上記アダプターを凹状部に挿入する際のアダプター挿入側の突出部の端面が、アダプター挿入側のコネクターの端面よりもアダプター挿入側に位置してもよい。かかる構成により、アダプターを凹状部に挿入しようとしても、アダプターは突出部の端面と当接するため、アダプターコネクターとコネクターとは接続しない。
【００１２】
上記係合部は、凹状部に切り欠かれて形成された切欠き部又は凹状部に形成された係合穴であり、被係合部は、切欠き部又は係合穴と係合するアダプターに形成された突出部であってもよい。また、上記アダプターを凹状部に挿入する際の凹状部挿入側の突出部の端面が、凹状部挿入側のアダプターコネクターの端面よりも凹状部挿入側に位置してもよい。
【００１３】
上記アダプター取付面にアダプター取付面より外側に突出して形成され、アダプターに設けられたアダプター電源端子と接続可能な電源端子を備え、係合部が被係合部と係合すると同時に、アダプター電源端子と電源端子とが接続してもよい。かかる構成により、アダプターがアダプター取付面に取り付けられる際、アダプター電源端子と電源端子とが接続して電気的な接続が可能となる。
【００１４】
また、上記課題を解決するために、本発明の別の観点によれば、着脱可能なアダプターが取り付けられるアダプター取付面に、アダプター取付面より内側に凹状に形成された凹状部と、凹状部にアダプターが挿入されたとき、アダプターに形成された被係合部と係合する係合部と、凹状部にアダプターが挿入され係合部が被係合部と係合したとき、アダプターに設けられたアダプターコネクターと接続されるコネクターとを備えることを特徴とする撮像装置が提供される。
【００１５】
また、上記課題を解決するために、本発明の別の観点によれば、アダプター取付装置に対して着脱可能に取り付けられる装置取付面に、装置取付面より外側に凸状に形成された凸状部と、凸状部がアダプター取付装置に挿入されたとき、アダプター取付装置に形成された係合部と係合する被係合部と、凸状部がアダプター取付装置に挿入され被係合部が係合部と係合したとき、アダプター取付装置に設けられたコネクターと接続されるアダプターコネクターとを備えることを特徴とするアダプターが提供される。
【発明の効果】
【００１６】
本発明によれば、適合しないアダプターの接続や、アダプターの誤接続によるコネクターの損傷を防止することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
（第１の実施形態）
まず、図１を参照して、本発明の一実施形態に係るカムコーダ１００の構成について説明する。図１は、本実施形態に係るカムコーダ１００を示す外観図である。
【００１９】
カムコーダ１００は、例えば光ディスク１０などの記録媒体に映像データや音声データ等を記録可能な撮像装置である。カムコーダ１００は、図１に示すように、例えばカメラ本体部１０１と、ＣＣＤカメラ部１０３と、マイクロホン１０４などからなり、アダプター１５０やバッテリー１８０などのカメラ付属品がカメラ本体部１０１に対して着脱可能である。なお、記録媒体は、ＤＶＤ、ブルーレイディスク等の光ディスク１０に限定されず、例えばハードディスク、フラッシュメモリなどであってもよい。
【００２０】
カメラ本体部１０１は、光ディスク１０を収容、取り出しすることができ、ＣＣＤカメラ部１０３が出力した映像データやマイクロホン１０４が出力した音声データ等を光ディスク１０に記録したり、光ディスク１０上に記録された映像データ等を再生したりする。カメラ本体部１０１、ＣＣＤカメラ部１０３、マイクロホン１０４などは、バッテリー１８０や接続される電線ケーブル（図示せず。）を介して電力が供給されて駆動される。
【００２１】
ＣＣＤカメラ部１０３は、被写体からの光を撮像面に結像させるレンズ等の光学系と、撮像面を有するＣＣＤ（Charge  Coupled  Device）などの撮像素子などからなる。ＣＣＤカメラ部１０３は、レンズを通して捉えた被写体像を電気信号に変換して出力する。なお、本願発明の撮像装置に用いられる撮像素子は、ＣＣＤに限定されず、例えばＣＭＯＳ（Complementary  Metal  Oxide  Semiconductor）などであってもよい。マイクロホン１０４は、音声を集音して、音声を電気信号に変換して出力する。
【００２２】
また、カムコーダ１００は、ＣＣＤカメラ部１０３と反対に位置する背面部１０２に、アダプター１５０やバッテリー１８０が着脱可能である。アダプター１５０は、例えば、光ディスク１０以外の記録媒体（例えばメモリカード）に映像データ等を記録する媒体記録用アダプターである。メモリカード１２は、例えばフラッシュメモリや小型のハードディスクなどであり、カードアダプター１５１に収容される。そして、アダプター１５０は、カードアダプター１５１が装着されて、カメラ本体部１０１に取り付けられることによって、映像データ、音声データ等を送受信することができ、メモリカード１２にデータを記録したり、メモリカード１２上のデータを再生したりすることができる。
【００２３】
なお、アダプター１５０は、上述した媒体記録用アダプターに限定されず、例えば、映像信号を光ディスク１０に記録する際のフォーマット以外のフォーマットに変換するコンバーター用アダプター、カメラ本体部１０１に設けられた出力端子以外の端子を備えた外部出力用アダプター、電源ケーブルが接続可能な電源供給用アダプター、バッテリーなどでもよく、その構成や機能によって限定されない。
【００２４】
次に、図２を参照して、本実施形態に係るカムコーダ１００の回路構成について説明する。図２は、本実施形態に係るカムコーダ１００を示すブロック図である。
【００２５】
図２に示すように、カムコーダ１００のカメラ本体部１０１は、例えば、ビデオプロセッサ１１０、エンコーダ１１１、メモリ１１２、オーディオプロセッサ１１３、オーディオ圧縮部１１４、メモリ１１５、メタデータ生成部１１６、メモリ１１７、ＣＰＵ１１８、ユーザインタフェース１１９、ファイルマネージャ１２０、ディスクドライブ１２１などからなる。
【００２６】
ビデオプロセッサ１１０は、ＣＣＤカメラ部１０３から出力された電気信号を受けて、電気信号をＡＤ（アナログデジタル）変換し映像データ信号を生成する。ビデオプロセッサ１１０は、生成した映像データ信号をエンコーダ１１１に送る。また、ビデオプロセッサ１１０は、画像データ信号の輝度レベルに変化があったときは、輝度レベルの変化に関する情報をメタデータ生成部１１６へ出力する。
【００２７】
エンコーダ１１１は、映像データ信号に対してＭＰＥＧ２規格に準拠した例えばＭＰＥＧ−ＩＭＸ方式やＭＰＥＧ−ＨＤ方式、ＤＶ規格に準拠したＤＶＣＡＭ方式などの圧縮符号化方式に圧縮符号化し、その結果得られる符号化データを、メモリ１１２を介してファイルマネージャ１２０に送る。
【００２８】
マイクロホン１０４は、集音して得られた電気信号をオーディオプロセッサ１１３へ送る。オーディオプロセッサ１１３は、電気信号をＡＤ（アナログデジタル）変換し音声データ信号を生成する。オーディオプロセッサ１１３は、生成した音声データ信号をオーディオ圧縮部１１４へ送る。また、オーディオプロセッサ１１３は、音声データ信号のレベルが所定値を超えた場合、レベルオーバーしたという情報をメタデータ生成部１１６へ出力する。
【００２９】
オーディオ圧縮部１１４は、音声データ信号をオーディオ圧縮の規格によって圧縮符号化し、その結果得られる圧縮オーディオデータを、メモリ１１５を介してファイルマネージャ１２０に送る。なお、オーディオ圧縮部１１４は、音声データ信号を圧縮符号化せずに非圧縮のままファイルマネージャ１２０へ送ってもよい。
【００３０】
メタデータ生成部１１６は、ホワイトバランス、ゲイン及び輝度レベルの変化に関する情報、音声データ信号がレベルオーバーしたという情報、撮影日時、撮影条件、撮影機器に関する情報、その他の設定情報などを受けて、これらの情報をメタデータとして生成する。そして、メタデータ生成部１１６は、メモリ１１７を介してファイルマネージャ１２０へ送る。
【００３１】
ＣＰＵ（Central  Processing  Unit）１１８は、プログラムによって演算処理装置及び制御装置として機能し、カメラ本体部１０１内に設けられた各構成要素の処理を制御することができる。例えば、ＣＰＵ１１８は、ユーザインタフェース１１９を介してユーザによって入力された撮影日時、撮影条件、撮影機器に関する情報、その他の設定情報などを取り込み、これらの情報をメタデータ生成部１１６へ送る。また、ＣＰＵ１１８は、ファイルマネージャ１２０からディスクドライブ１２１へのデータ出力、及びディスクドライブ１２１による記録メディアへのデータの記録を制御する。
【００３２】
ユーザインタフェース（Ｉ／Ｆ）１１９は、ユーザによる操作などを介して、ビデオプロセッサ１１０で生成する映像データ信号に対しホワイトバランスやゲイン等の画像調整等を行う。ユーザインタフェース１１９は、画像調整等が行われた場合、ホワイトバランスやゲイン等に関する情報をメタデータ生成部１１６に出力する。
【００３３】
ファイルマネージャ１２０は、メモリ１１２を介して受けた映像データ、メモリ１１５を介して受けた音声データ、メモリ１１７を介して受けたメタデータを、ファイルシステムを用いてファイル化処理し、ディレクトリ構造による並び順の管理などをする。ファイル化処理によって生成された映像データ、音声データ、メタデータは、ディスクドライブ１２１によって光ディスク１０に書き込まれる。
【００３４】
次に、本実施形態に係るカムコーダ１００の背面部１０２及び背面部１０２に接続されるアダプター１５０について説明する。背面部１０２は、アダプター１５０やバッテリー１８０と電気的に接続するように信号コネクター１０６や電源コネクター１０８が設けられている。なお、背面部１０２は、アダプター取付面の一例である。
【００３５】
まず、図３〜図５を参照して、本実施形態に係る背面部１０２について詳細に説明する。図３は、本実施形態に係るカムコーダ１００の背面部１０２を示す斜視図である。図４は、本実施形態に係るカムコーダ１００の背面部１０２を示す正面図（Ａ）及び図４（Ａ）のＩ−Ｉ線で切断した断面図（Ｂ）である。図５は、本実施形態に係るカムコーダ１００の背面部１０２を示す上面図（Ａ）及び図４（Ａ）のＩＩ−ＩＩ線で切断した断面図（Ｂ）である。
【００３６】
カムコーダ１００の背面部１０２には、例えば、凹状部１０５、信号コネクター１０６、突出部１０７、電源コネクター１０８、コネクターピン１０９、Ｖ溝１２２、上部固定部１３０、固定穴１３２、ガイド１３４、１３６、１３８などが設けられる。
【００３７】
凹状部１０５は、背面部１０２の外面より内側に凹状に形成される。凹状部１０５は、例えば背面部１０２の上方側に形成され、例えば、背面部１０２側とカメラ本体部１０１の上部に開口が形成される。凹状部１０５の内側には、信号コネクター１０６が設置され、凹状部１０５の開口付近には突出部１０７が形成される。そして、凹状部１０５には、アダプター１５０の信号コネクター１５４が設けられた凸状部１５２が挿入される。
【００３８】
信号コネクター１０６は、凹状部１０５内に設置される。信号コネクター１０６は、例えば、カメラ本体部１０１の上面又は下面と平行な凹状部１０５内の底面に、接続口（端面）が上方向となるように突設される。これにより、アダプター１５０に設けられた信号コネクター１５４が下方向に突設されていれば、アダプター１５０の挿入、取り出し方向は、カメラ本体部１０１に対して上下方向となる。信号コネクター１０６の端面は、突出部１０７の端面よりも奥まった位置、凹状部１０５内の底面側となるように設けられる。信号コネクター１０６は、アダプター１５０の信号コネクター１５４と接続されて、電気信号の入出力をする。電気信号は、アダプター１５０が有する機能に応じて異なる。
【００３９】
突出部１０７は、係合部の一例であり、例えば凹状部１０５の開口付近に左右それぞれに対となって形成される。突出部１０７は、例えば、背面部１０２の外面と同一面内に板状部材で形成され、アダプター１５０の挿入方向である信号コネクター１０６の突設方向と平行に延設される。突出部１０７の端面は、信号コネクター１０６の端面よりもアダプター１５０を挿入する際の挿入側に位置する。これにより、アダプター１５０の凸状部１５２が、カメラ本体部１０１の凹状部１０５に挿入される際、カメラ本体部１０１と適合するアダプター１５０であって、凹状部１０５に形成された突出部１０７と係合するように、アダプター１５０に切欠き部１５６が形成されていれば、アダプター１５０をカメラ本体部１０１に装着することができる。一方、カメラ本体部１０１と適合しないアダプターであって、当該アダプターに突出部１０７と係合するための切欠き部１５６が形成されていない場合には、アダプターに凸状部が設けられていたとしても、当該凸状部は凹状部１０５に形成された突出部１０７と当接するため、アダプター１５０をカメラ本体部１０１に装着することができない。
【００４０】
電源コネクター１０８は、例えば背面部１０２の下方側に設けられ、背面部１０２の外面より外側に突出して設置される。電源コネクター１０８には、コネクターピン１０９が、軸方向が上方向となるように突設され、アダプター１５０の挿入、取り出し方向をカメラ本体部１０１に対して上下方向とすることができる。電源コネクター１０８は、上下方向よりも幅方向に長く形成され、コネクターピン１０９は、電源コネクター１０８に複数設けられる。コネクターピン１０９は、アダプター１５０のピン穴１６２に挿入され、電源コネクター１０８は、アダプター１５０の電源コネクター接続部１６０と嵌合する。
【００４１】
Ｖ溝１２２は、背面部１０２の中間付近に設けられ、背面部１０２の外面より外側に突出して設置される。Ｖ溝１２２は、アダプター１５０のＶシュー１６８が挿入され、Ｖ溝１２２とＶシュー１６８は互いに係合する。Ｖ溝１２２は、カメラ本体部１０１に対して上方向の間隔が下方向よりも広く、上方向からアダプター１５０のＶシュー１６８が挿入しやすくなっている。また、Ｖ溝１２２は、開口側がカメラ本体部１０１側と比較して狭く形成されており、アダプター１５０のＶシュー１６８がＶ溝１２２に係合したとき、アダプター１５０が背面部１０２に対して垂直方向に離脱するのを防止する。
【００４２】
上部固定部１３０は、背面部１０２の上部、凹状部１０５の上方に設けられ、例えばカメラ本体部１０１の上面よりも外側に突出して設置される。上部固定部１３０には、固定穴１３２が形成される。固定穴１３２の開口は、上方向となっており、アダプター１５０の固定ねじ１６６の固定穴１３２への挿入、固定穴１３２からの取り外し方向をカメラ本体部１０１に対して上下方向とすることができる。固定穴１３２は、上部固定部１３０に複数設けられ、例えば、アダプター１５０の固定ねじ１６６や固定ピン１６７が挿入される。
【００４３】
ガイド１３４、１３６、１３８は、例えば、背面部１０２の任意の場所に設けられ、例えば背面部１０２の外面より突出して設置される。ガイド１３４、１３６、１３８は、幅方向より上下方向に長く形成され、アダプター１５０がカメラ本体部１０１に装着される際、アダプター１５０のガイド用レール１７２、１７４、１７６に沿って上下方向に摺動する。ガイド１３４、１３６、１３８によれば、アダプター１５０は、幅方向にずれることなく上下方向にカメラ本体部１０１に対してスムーズに着脱可能となる。
【００４４】
次に、図６及び図７を参照して、本実施形態に係るアダプター１５０について詳細に説明する。図６は、本実施形態に係るカムコーダ１００のアダプター１５０を示す斜視図である。図７は、本実施形態に係るカムコーダ１００のアダプター１５０を示す正面図（Ａ）、底面図（Ｂ）及び側面図（Ｃ）である。
【００４５】
アダプター１５０のカメラ本体部１０１との接続面は、例えば、凸状部１５２、信号コネクター１５４、切欠き部１５６、電源コネクター接続部１６０、ピン穴１６２、上部固定部１６４、固定ねじ１６６、固定ピン１６７、Ｖシュー１６８、段差部１７０、ガイド用レール１７２、１７４、１７６などが設けられる。
【００４６】
凸状部１５２は、アダプター１５０の外面より外側に突出して凸状に形成される。凸状部１５２は、図６、図７に示すように、例えばアダプター１５０の上方側に形成される。凸状部１５２の下面には、信号コネクター１５４が設けられる。信号コネクター１５４は、接続口が下方向となるように突設される。信号コネクター１５４はカメラ本体部１０１の信号コネクター１０６と接続されて、電気信号が入出力される。切欠き部１５６は、被係合部の一例であり、凸状部１５２の下面に切り欠かれて形成され、凸状部１５２がアダプター１５０の外面から突出する部分の根元に形成される。切欠き部１５６には、カメラ本体部１０１の突出部１０７が挿入されて係合される。
【００４７】
電源コネクター接続部１６０は、アダプター１５０の下方側に形成される。電源コネクター接続部１６０は、アダプター１５０の外面より内側に凹状に形成され、カメラ本体部１０１との取付面側とアダプター１５０の下部に開口が形成される。電源コネクター接続部１６０の内側には、カメラ本体部１０１のコネクターピン１０９に対応したピン穴１６２が形成される。ピン穴１６２の開口は下方向となっており、コネクターピン１０９のピン穴１６２への挿入、ピン穴１６２からの引き出しは、カメラ本体部１０１に対して上下方向となる。
【００４８】
上部固定部１６４は、アダプター１５０の上部に外側に突出して設けられ、カメラ本体部１０１の固定穴１３２に対応した固定ねじ１６６、固定ピン１６７が取り付けられている。固定穴１３２に固定ねじ１６６、固定ピン１６７が挿入されることで、アダプター１５０が上方向から固定される。
【００４９】
Ｖシュー１６８は、アダプター１５０の外面よりも内側に凹状に形成された段差部１７０内に設けられる。Ｖシュー１６８は、上部の幅が下部の幅よりも広く、Ｖ溝１２２に挿入されて互いに係合する。ガイド用レール１７２、１７４、１７６は、アダプター１５０の外面よりも内側に溝状に形成され、カメラ本体部１０１に突設されたガイド１３４、１３６、１３８と対応している。ガイド用レール１７２、１７４、１７６は、上下方向に長い溝状であり、ガイド１３４、１３６、１３８がカメラ本体部１０１に対して上下方向に摺動可能となる。
【００５０】
上記のように、カメラ本体部１０１の背面部１０２及びアダプター１５０が構成されることで、アダプター１５０は、カメラ本体部１０１に装着可能となる。図８は、本実施形態に係るカムコーダ１００の背面部１０２にアダプター１５０を取り付けた状態を示す断面図である。
【００５１】
以下、背面部１０２に対するアダプター１５０の装着方法を説明する。まず、ガイド１３４、１３６、１３８が、ガイド用レール１７２、１７４、１７６に沿わせてアダプター１５０をカメラ本体部１０１の背面部１０２に配置される。そして、アダプター１５０がカメラ本体部１０１に対して下方向に摺動されて、アダプター１５０の凸状部１５２がカメラ本体部１０１の凹状部１０５に挿入され、カメラ本体部１０１の電源コネクター１０８に突設されたコネクターピン１０９がアダプター１５０のピン穴１６２に挿入される。引続き、アダプター１５０がカメラ本体部１０１に対して下方向に摺動されると、カメラ本体部１０１の信号コネクター１０６と、アダプター１５０の信号コネクター１５４とが接続され、コネクターピン１０９とピン穴１６２とが完全に、信号コネクター１０６、１５４の接続とほぼ同時に接続される。このとき、Ｖ溝１２２とＶシュー１６８についても互いに係合される。
【００５２】
本実施形態によれば、カメラ本体部１０１の背面部１０２に設けられた凹状部１０５にアダプター１５０の凸状部１５２が挿入されるとき、カメラ本体部１０１と適合するアダプター１５０であって、凹状部１０５に形成された突出部１０７と係合するように、アダプター１５０に切欠き部１５６が形成されていれば、アダプター１５０をカメラ本体部１０１に装着することができる。一方、カメラ本体部１０１と適合しないアダプターであって、当該アダプターに突出部１０７と係合するための切欠き部１５６が形成されていない場合には、アダプターに凸状部が設けられていたとしても、当該凸状部は凹状部１０５に形成された突出部１０７と当接するため、アダプター１５０をカメラ本体部１０１に装着することができない。
【００５３】
その結果、カムコーダ１００のカメラ本体部１０１に、他のカメラ本体部の仕様にのみ適合するアダプターが取り付けられることがなく、カムコーダ１００の誤作動や故障を防止することができる。また、カメラ本体部やアダプターの取付機構や、電源用端子、接続端子などの形状が異なるもの同士が、無理に取り付けられることがないため、取付機構や各種端子を破損させることがない。
【００５４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５５】
例えば、上記実施形態では、突出部１０７が凹状部１０５の開口付近において左右一対で形成される場合についてしたが、本発明はかかる例に限定されない。例えば、図９に示すように凹状部１０５の幅方向にわたって１つの突出部２０７が形成されてもよい。図９は、本実施形態に係るカムコーダ１００の背面部１０２の変更例を示す正面図（Ａ）及び図９（Ａ）のＩＩＩ−ＩＩＩ線で切断した断面図（Ｂ）である。このとき、対応するアダプター１５０の切欠き部２５６は、図１０に示すように凸状部１５２の幅方向にわたって形成される。図１０は、本実施形態に係るカムコーダ１００のアダプター１５０の変更例を示す底面図である。
【００５６】
また、例えば、上記実施形態では、突出部１０７が板状部材で形成される場合について説明したが、本発明はかかる例に限定されない。例えば、図１１に示すように、棒状部材で形成された突出部３０７であってもよい。図１１は、本実施形態に係るカムコーダ１００の背面部１０２の変更例を示す正面図（Ａ）及び図１１（Ａ）のＩＶ−ＩＶ線で切断した断面図（Ｂ）である。このとき、対応するアダプター１５０には、図１２に示すように、挿入穴３５６（係合穴）が形成されるとよい。図１２は、本実施形態に係るカムコーダ１００のアダプター１５０の変更例を示す底面図である。そして、カメラ本体部１０１に形成された突出部３０７は、アダプター１５０に形成された挿入穴３５６と係合する。
【００５７】
また、例えば、上記実施形態では、図３〜図５に示すように、突出部１０７が凹状部１０５の底面よりも下方向から延設される場合について説明したが、本発明はかかる例に限定されない。例えば、図１３に示すように、突出部４０７は、凹状部１０５の側面側にのみ付設し、突出部４０７の下部は凹状部１０５と離隔して形成されてもよい。図１３は、本実施形態に係るカムコーダ１００の背面部１０２の変更例を示す正面図である。
【００５８】
また、例えば、上記実施形態では、図３〜図５に示すように、凹状部１０５に突出部１０７が形成され、図６及び図７に示すように、凸状部１５２に切欠き部１５６が形成される場合について説明したが、本発明はかかる例に限定されない。例えば、図１４に示すように、アダプター１５０の凸状部１５２に突出部５５６が形成され、図１５に示すように、カメラ本体部１０１の凹状部１０５に切欠き部５０７が形成されてもよい。このとき、アダプター１５０の突出部５５６は、凹状部１０５の切欠き部５０７と係合する。図１４は、本実施形態に係るカムコーダ１００のアダプター１５０の変更例を示す正面図（Ａ）、底面図（Ｂ）及び側面図（Ｃ）である。図１５は、本実施形態に係るカムコーダ１００の背面部の変更例を示す断面図である。
【００５９】
また、例えば、上記実施形態では、撮像装置の一例であるカムコーダ１００と、アダプター１５０との取り付けに関して説明したが、本発明はかかる例に限定されない。例えば、本発明のアダプター接続装置はカムコーダ１００以外の撮像装置にも適用でき、更に、アダプター取付可能な撮像装置以外の装置にも適用することができる。
【図面の簡単な説明】
【００６０】
【図１】本発明の一実施形態に係るカムコーダを示す外観図である。
【図２】同実施形態に係るカムコーダを示すブロック図である。
【図３】同実施形態に係るカムコーダの背面部を示す斜視図である。
【図４】同実施形態に係るカムコーダの背面部を示す正面図（Ａ）及び図４（Ａ）のＩ−Ｉ線で切断した断面図（Ｂ）である。
【図５】同実施形態に係るカムコーダの背面部を示す上面図（Ａ）及び図４（Ａ）のＩＩ−ＩＩ線で切断した断面図（Ｂ）である。
【図６】同実施形態に係るカムコーダのアダプターを示す斜視図である。
【図７】同実施形態に係るカムコーダのアダプターを示す正面図（Ａ）、底面図（Ｂ）及び側面図（Ｃ）である。
【図８】同実施形態に係るカムコーダの背面部にアダプターを取り付けた状態を示す断面図である。
【図９】同実施形態に係るカムコーダの背面部の変更例を示す正面図（Ａ）及び図９（Ａ）のＩＩＩ−ＩＩＩ線で切断した断面図（Ｂ）である。
【図１０】同実施形態に係るカムコーダのアダプターの変更例を示す底面図である。
【図１１】同実施形態に係るカムコーダの背面部の変更例を示す正面図（Ａ）及び図１１（Ａ）のＩＶ−ＩＶ線で切断した断面図（Ｂ）である。
【図１２】同実施形態に係るカムコーダのアダプターの変更例を示す底面図である。
【図１３】同実施形態に係るカムコーダの背面部の変更例を示す正面図である。
【図１４】同実施形態に係るカムコーダのアダプターの変更例を示す正面図（Ａ）、底面図（Ｂ）及び側面図（Ｃ）である。
【図１５】同実施形態に係るカムコーダの背面部の変更例を示す断面図である。
【符号の説明】
【００６１】
１０      光ディスク
１２      メモリカード
１００      カムコーダ
１０１      カメラ本体部
１０２      背面部
１０３      ＣＣＤカメラ部
１０４      マイクロホン
１０５      凹状部
１０６      信号コネクター
１０７、２０７、３０７、４０７、５５６      突出部
１０８      電源コネクター
１０９      コネクターピン
１１０      ビデオプロセッサ
１１１      エンコーダ
１１２、１１５、１１７      メモリ
１１３      オーディオプロセッサ
１１４      オーディオ圧縮部
１１６      メタデータ生成部
１１８      ＣＰＵ
１１９      ユーザインタフェース
１２０      ファイルマネージャ
１２１      ディスクドライブ
１２２      Ｖ溝
１３０、１６４      上部固定部
１３２      固定穴
１３４、１３６、１３８      ガイド
１５０      アダプター
１５１      カードアダプター
１５２      凸状部
１５４      信号コネクター
１５６、２５６、５０７      切欠き部
１６０      電源コネクター接続部
１６２      ピン穴
１６６      固定ねじ
１６７      固定ピン
１６８      Ｖシュー
１７０      段差部
１７２、１７４、１７６      ガイド用レール
１８０      バッテリー
３５６      挿入穴
【図１】
2009152681.tif 000003
【図２】
2009152681.tif 000004
【図３】
2009152681.tif 000005
【図４】
2009152681.tif 000006
【図５】
2009152681.tif 000007
【図６】
2009152681.tif 000008
【図７】
2009152681.tif 000009
【図８】
2009152681.tif 000010
【図９】
2009152681.tif 000011
【図１０】
2009152681.tif 000012
【図１１】
2009152681.tif 000013
【図１２】
2009152681.tif 000014
【図１３】
2009152681.tif 000015
【図１４】
2009152681.tif 000016
【図１５】
2009152681.tif 000017